(57)【要約】【課題】  複数サイズの記録紙を容易に装着する事が出来る記録紙カセットを提供すること。【解決手段】  複数サイズのロール状記録紙が装着可能な記録紙カセットにおいて、前記ロール状記録紙を装着可能な装着部と、前記ロール状記録紙の側面を規制する動作可能な幅規制部材と、前記幅規制部材の動作を前記記録紙カセット内の指定位置に支持可能な支持部と、前記支持部の支持を解除可能な解除部と、を有し、前記幅規制部材は少なくとも二つのサイズのロール状記録紙の幅の間に設定されて、前記記録紙カセットを装着するときに前記ロール状記録紙の一部が前記支持部の支持を解除した場合には前記幅規制部材は前記ロール状記録紙が前記記録紙カセット内に装着可能な位置まで退避する事が可能になる事を特徴とする構成とした。【選択図】  図１
2013184784.tif 000002
【特許請求の範囲】
【請求項１】
複数サイズのロール状記録紙が装着可能な記録紙カセットにおいて、
前記ロール状記録紙を装着可能な装着部と、
前記ロール状記録紙の側面を規制する動作可能な幅規制部材と、
前記幅規制部材の動作を前記記録紙カセット内の指定位置に支持可能な支持部と、
前記支持部の支持を解除可能な解除部と、を有し、
前記幅規制部材は少なくとも二つのサイズのロール状記録紙の幅の間に設定されて、前記記録紙カセットを装着するときに前記ロール状記録紙の一部が前記支持部の支持を解除した場合には前記幅規制部材は前記ロール状記録紙が前記記録紙カセット内に装着可能な位置まで退避する事が可能になることを特徴とする記録紙カセット。
【請求項２】
前記幅規制部材と前記解除部は、前記ロール状記録紙の両側面に設定され、前記解除部が両側とも前記支持部の支持を解除した場合に前記幅規制部材は前記ロール状記録紙が前記記録紙カセット内に装着可能な位置まで退避する事が可能になることを特徴とする請求項１に記載の記録紙カセット。
【請求項３】
前記ロール状記録紙を覆う位置と取り出す位置との間で開閉可能な蓋を有し、
前記ロール状記録紙が前記幅規制部材を退避させて前記装着部に装着されているときに、前記蓋が前記ロール状記録紙を覆う位置に係合される場合には前記蓋の一部が前記幅規制部材を位置規制可能であることを特徴とする請求項１又は請求項２に記載の記録紙カセット。
【請求項４】
前記装着部内に装着されている前記ロール状記録紙の識別が可能な識別部材を有し、
前記識別部材は、前記装着部の一部に配置され、前記幅規制部材の退避に連動して移動可能に構成されることを特徴とする請求項１及至請求項３の何れか１項に記載の記録紙カセット。
【発明の詳細な説明】
【技術分野】
【０００１】
本発明は、記録紙カセットに関し、特に複写機やプリンタなどの画像形成装置に装着される記録紙カセットに関するものである。
【背景技術】
【０００２】
従来から複写機やプリンタなどの画像形成装置に装着される記録紙カセットが知られている。例えば図１６（ａ）に示すロール状記録紙２０１を用いた記録紙カセット１００では、シャフト３０１をロール状記録紙２０１に挿通させた状態で記録紙カセット１００内部に装着されている。この記録紙カセット１００に対して、ロール外径がロール状記録紙２０１とほぼ等しく幅の異なるロール状記録紙２０２を装着する場合には図１６（ｂ）の通り、ロール状記録紙２０２の両側面を規制するサイドフェンス４００ａ、４００ｂを記録紙カセット１００内部に予め装着してからシャフト３０２を挿通させたロール状記録紙２０２を装着する事で、ロール状記録紙が記録紙カセット内部で軸のスラスト方向に隙間が発生してしまう事を低減する事が出来る。
【０００３】
このような記録紙の装着部に異なるサイズの記録紙を装着可能にする技術は、従来から開示されている。例えば特許文献１では、ロール状記録紙ホルダ内部に回転可能な規制部を設け、この規制部をユーザーが記録紙のサイズに応じて起立及び収納させることで記録紙の位置決めとサイズ検出を同時に行う事を可能にしている。
【先行技術文献】
【特許文献】
【０００４】
【特許文献１】特開平５−１１０７５０号公報
【発明の概要】
【発明が解決しようとする課題】
【０００５】
しかしながら、上述の特許文献１に開示された従来技術では、ユーザー自身が記録紙のサイズに応じて規制部の起立及び収納を選択しなければならず、記録紙を装着するまでに複数の作業プロセスを必要としていた。また、装置の扱いに不慣れなユーザーにとっては記録紙の装着方法がわかりにくいという課題があった。
【０００６】
そこで、本発明は上記課題に鑑みてなされたもので、その目的は、複数サイズの記録紙を簡易的に装着する事が出来る記録紙カセットを提供することである。
【課題を解決するための手段】
【０００７】
上記目的を達成するために、本発明は、複数サイズのロール状記録紙が装着可能な記録紙カセットにおいて、前記ロール状記録紙を装着可能な装着部と、前記ロール状記録紙の側面を規制する動作可能な幅規制部材と、前記幅規制部材の動作を前記記録紙カセット内の指定位置に支持可能な支持部と、前記支持部の支持を解除可能な解除部と、を有し、前記幅規制部材は少なくとも二つのサイズのロール状記録紙の幅の間に設定されて、前記記録紙カセットを装着するときに前記ロール状記録紙の一部が前記支持部の支持を、解除した場合には前記幅規制部材は前記ロール状記録紙が前記記録紙カセット内に装着可能な位置まで退避する事が可能になる事を特徴とする。
【発明の効果】
【０００８】
本発明によれば、複数サイズの記録紙を記録紙カセットへ容易に装着する事ができる。
【図面の簡単な説明】
【０００９】
【図１】本発明が適用される実施例でのプリンタの概略断面図
【図２】本発明が適用される実施例でのプリンタの外観斜視図
【図３】本実施例における記録紙カセットの構造を説明する図
【図４】本実施例における記録紙カセットに短幅の記録紙が装着された状態の図
【図５】本実施例における記録紙カセットに長幅の記録紙が装着された状態の図
【図６】本実施例における記録紙カセットの構造の一部を説明する拡大図
【図７】本実施例における記録紙ケースの構造を説明する拡大図
【図８】本実施例における記録紙カセットの構造の一部を説明する断面図
【図９】本実施例における記録紙カセットに短幅の記録紙を装着する途中の図
【図１０】本発明における記録紙カセットに記録紙を収容した状態を表す断面図
【図１１】本発明における記録紙カセットに記録紙を収容した状態を表す断面図
【図１２】本発明における記録紙カセットに記録紙を収容した状態を表す断面図
【図１３】本発明における記録紙カセットでの記録紙の種別検出方法を説明する断面図
【図１４】本発明における記録紙カセットがプリンタ本体に装着されるときの一部を表す図
【図１５】本発明における検出スイッチが検出する検出パターンを説明する図
【図１６】従来の記録紙カセットの例を説明する外観斜視図
【発明を実施するための形態】
【００１０】
以下に、本発明の好ましい実施の形態を、添付の図面に基づいて詳細に説明する。
【００１１】
［実施例］
以下、図１及至図１５を参照して、本発明の実施例による、記録紙カセットについて説明する。
【００１２】
図１は本発明が適用される実施例でのプリンタの概略断面図である。図２は本発明が適用される実施例でのプリンタの外観斜視図である。図２に示すとおり、１はプリンタ本体、２はＬＣＤ表示部であり、３は電源ボタン、４は種々の操作ボタンである。本実施例におけるプリンタ本体１では、ＬＣＤ表示部２に印刷する画像や画像処理情報等を表示し、操作ボタン４で印刷画像を指定し、適宜画像の加工を行い、印刷を開始する事が出来る。５はプリンタ本体１に構成される側面扉であり、プリンタ本体１に後述するインクリボンカセットや用紙カセットを装着する際、側面扉５を開き、プリンタ本体１の内部に夫々のカセットを装着する事ができる。
【００１３】
次に図１を用いて、本実施例におけるプリンタ本体１の内部構造について説明する。
【００１４】
本実施例ではインクリボンカセット内に配置されるインクリボンのインクを用紙に熱転写して画像の記録を行う熱転写記録型のプリント構造を例に挙げている。図１に示すとおり、プリンタ本体１にはサーマルヘッド６がアーム７の一端に保持されており、そして支軸８を中心にしてアーム７が回転する事によってプラテンローラー９への圧接及び離間が可能な構造になっている。また、インクリボンカセット１０は、インクリボン１０ａの一部がサーマルヘッド６とプラテンローラー９との間を通過するように、プリンタ本体１内部の所定スペースに装着されている。更に記録紙カセット１１においては、構成の詳細は後述するが、図１に示すようにプリンタ本体１内部の所定スペースに装着される。前述した通り、これらのカセットはプリンタ本体１に構成される側面扉５を開く事により、外部からプリンタ本体１内部への装着が可能になっている。
【００１５】
次にプリンタ本体１では、図１に示した位置にグリップローラー１２及びピンチローラー１３が設置されている。そしてグリップローラー１２は不図示の駆動源とギア等の連結部材を介して連結されており、駆動源からの動力を得て所望の回転を行う。また、ピンチローラー１３はグリップローラー１２と回転軸を平行にした状態で所定量の間隔を保った形で配置されている。ピンチローラー１３は駆動源との連結はされておらず、記録紙１４の搬送を行う際、グリップローラー１２とピンチローラー１３との間に記録紙１４がニップされる事でグリップローラー１２の回転に追従して回転するように構成されている。
【００１６】
記録紙１４は、不図示の給紙手段により記録紙ボビン１５が回転し、分離プレート２３に記録紙１４の先端が当接する事で記録紙カセット１１から引き出される。その後記録紙１４はグリップローラー１２とピンチローラー１３とでニップされて、不図示の制御手段によって記録紙１４の繰り出し及び引き込みを行う事で印刷中の記録紙１４を制御し、所望の印刷を行う。記録紙１４の先端はグリップローラー１２とピンチローラー１３とでニップされた後、不図示の駆動源からの動力によって繰り出し搬送され、サーマルヘッド６、プラテンローラー９との間を通過し、更に搬送すると、切断手段１７内に進入する。
【００１７】
所望の印刷を終えた記録紙１４は、次に所望の印画物を形成する為に切断手段１７による切断工程と、排紙工程に進む。切断工程ではまず、記録紙１４を切断する前に排紙ローラー１８と従動ローラー１９とで記録紙１４をニップして切断時の記録紙１４の動きを規制する。記録紙１４の切断が行われた後、排紙ローラー２０は不図示の駆動源からの動力によって切断された印画物を記録紙１４搬送方向下流側へ搬送し、排紙口２０からプリンタ本体１の外側へ排紙する。
【００１８】
次に図３を用いて、本実施例における記録紙カセット１１の構造について説明する。
【００１９】
図３（ａ）は、本実施例における記録紙カセット１１の天面から見た平面図である。そして図３（ｂ）は、本実施例における記録紙カセット１１の断面図である。
【００２０】
図３に示す通り記録紙カセット１１は、まず記録紙ケース２０に蓋２１及びロック蓋２２が回転自在に係合されている。そして記録紙ケース２０には更に分離プレート２３が回転自在に係合している。また分離プレート２３には、不図示の弾性部材により、回転軸を中心として図３（ｂ）において時計回りの方向に回転する力が常に働いている。次に記録紙ケース２０には、シャフト２４がその両端を軸受け２５によって図３で表わされる位置に固定されている。更にシャフト２４の両端にはサイドフェンス２６がそれぞれ係合している。このサイドフェンス２６は、ピン２７、解除プレート２８がそれぞれ組みつけられており、記録紙ケース２０の側面内側には、シャフト２４の回転により移動するピン２７の軌跡に対応する位置に溝２０ａが形成されており、この溝２０ａの一部であって図３に示す位置にピン２７が係止されている。本実施例では以上説明したシャフト２４、軸受け２５、サイドフェンス２６、ピン２７、そして解除プレート２８のユニットを記録紙ケース２０内部に２対、図３に示す位置に設けている。各部品の機能等詳細は後述する。
【００２１】
次に図４を用いて、記録紙カセット１１に短幅の記録紙１４ａが装着された場合について、説明する。
【００２２】
図４（ａ）は、記録紙カセット１１に短幅の記録紙１４ａが装着された状態を表す平面図である。そして図４（ｂ）は、記録紙カセット１１に短幅の記録紙１４ａが装着された状態を表す断面図である。
【００２３】
図４に示す通りシャフト２４の両端に係合しているサイドフェンス２６同士の間隔は概ね記録紙１４ａの幅に合う間隔に設定されている。そして記録紙ケース２０内に記録紙１４ａを装着すると、記録紙１４ａは記録紙ケース２０内に係合されている分離プレート２３を押し下げて図４（ｂ）の位置まで分離プレート２３を回転させることになる。記録紙カセット１１をプリンタ本体１に装着し、記録紙１４ａに対して所望の印画を行う場合には、プリンタ本体１内に構成されている不図示の駆動源が記録紙ボビン１５ａを回転させる。このとき分離プレート２３は前述したとおり不図示の弾性部材によって図４（ｂ）における回転軸を中心として時計回りの方向に回転する力が常に働いている為、記録紙１５ａに対して分離プレート２３の先端が常に当接した状態になっている。この状態で記録紙１４ａが回転すると、記録紙１４ａの先端が分離プレート２３によってロールから分離されて、図１に示すところのグリップローラー１２へ搬送される。
【００２４】
次に図５を用いて、記録紙カセット１１に長幅の記録紙１４ｂが装着された場合について、説明する。
【００２５】
図５（ａ）は、記録紙カセット１１に長幅の記録紙１４ｂが装着された状態を表す平面図である。そして図５（ｂ）は、記録紙カセット１１に長幅の記録紙１４ｂが装着された状態を表す断面図である。
【００２６】
図５に示す通り長幅の記録紙１４ｂを記録紙カセット１１に装着した場合では、図３の位置で停止していたサイドフェンス２６及び解除プレート２８は記録紙１４ｂが記録紙カセット１１内に装着することが出来る位置まで退避している。このサイドフェンス２６及び解除プレート２８は記録紙１４ｂによって押し下げられているが、記録紙１４ｂを装着するときの各部材の動作について、その詳細は後述する。そして、記録紙１４ａと同様に記録紙１４ｂは記録紙ケース２０内に係合されている分離プレート２３を押し下げて図５（ｂ）の位置まで分離プレート２３を回転させる。記録紙カセット１１をプリンタ本体１に装着し、記録紙１４ｂに対して所望の印画を行う場合についても記録紙１４ａと同様の動作を行い、記録紙カセット１１から記録紙１４ｂの先端を分離する。
【００２７】
次に図６及至図８を用いて、記録紙カセット１１に長幅の記録紙１４ｂを装着する際の各部材の動作について、説明する。
【００２８】
図６は、記録紙カセット１１におけるサイドフェンス２６、ピン２７、そして解除プレート２８の構造を説明する拡大図である。図７は記録紙ケースに形成された溝２０ａを説明する拡大図である。図８は記録紙カセット１１におけるサイドフェンス２６、ピン２７、そして解除プレート２８の動作を説明する断面図である。
【００２９】
サイドフェンス２６は前述したとおり、シャフト２４の端部に取り付けられている。また、シャフト２４を記録紙ケース２０に固定する為に軸受け２５が設置されており、この軸受け２５にはサイドフェンス２６を図３に表わされる位置に停止させる為に、トーションバネ２９が取り付けられている。このトーションバネ２９は、その一端を記録紙ケース２０と軸受け２５との間で挟持し、もう一端はサイドフェンス２６と当接しており、サイドフェンス２６を図６（ａ）におけるＲ１方向へ回転させるように常時サイドフェンス２６を付勢している。そしてサイドフェンス２６の側面から突出しているピン２７が図７に表わされている記録紙ケース２０に形成された溝２０ａの一端である保持部２０ｂに入り込むことによって、サイドフェンス２６は記録紙ケース２０に対して図３の位置に停止することになる。
【００３０】
次に図８によると、解除プレート２８はサイドフェンス２６に係合しており、コイルバネ３０を解除プレート２８とサイドフェンス２６との間に配置する事でサイドフェンス２６に対して解除プレート２８を図８（ａ）でのＺ方向へ常に押圧するように機能する。また、解除プレート２８は不図示の抜け止めによって図８（ａ）の位置で停止している。この構造により、解除プレート２８は＋／−Ｚ方向へスライド移動する事が出来る。
【００３１】
ピン２７は図８中の＋／−Ｘ方向へスライド移動する事が可能なようにサイドフェンス２６及び解除プレート２８の内部に配置されている。また、サイドフェンス２６とピン２７との間には図８に表わされるとおりコイルバネ３１が組みつけられており、ピン２７はサイドフェンス２６に対して常に＋Ｘ方向に付勢されて図８（ａ）の位置で停止している。そして外的な作用によって、解除プレート２８が図８中−Ｚ方向へ変位すると、解除プレート２８の内部に形成されている凸部がピン２７の斜面を滑ることでピン２７を図８中の−Ｘ方向へスライド移動させる。これにより、図８（ｂ）に表わされるようにピン２７のサイドフェンス２６に対する突出量は解除プレートが変位する前と比較して少なくなる。それまでピン２７の先端は記録紙ケース２０に形成されている保持部２０ｂに入り込んでいたが、このピン２７の突出量の減少により、保持部２０ｂとの保持が解消される。すると、サイドフェンス２６はトーションバネ２９の付勢力に抗して図７で示すところのＲ２方向へ移動することになる。
【００３２】
また、記録紙ケース２０には図７に示す位置に退避部２０ｃが形成されている。これはピン２７の先端が突出した場合においてもその先端が記録紙ケース２０内側側面に衝突しないだけの溝を形成したものである。さらにこの退避部２０ｃは、図７に表わされるようにその溝全周に渡ってテーパー面が形成されている。これらの溝の形状により、ピン２７が退避部２０ｃと対向しているときにピン２７がサイドフェンス２６から突出した場合でもピン２７先端が記録紙ケース２０の内側側面と衝突せずにサイドフェンス２６が移動する事が出来る。更に、テーパー面が形成されているので、仮にピン２７がサイドフェンス２６から突出した状態のままサイドフェンス２６がトーションバネ２９の付勢力を受けて図７中のＲ３方向へ回転移動した場合にもピン２７先端がテーパー面を擦りあがり、保持部２０ｂまでＲ３方向へ回転する事ができる。
【００３３】
以上までをまとめると、長幅の記録紙１４ｂを記録紙カセット１１に装着する場合、まず記録紙１４ｂの一部が解除プレート２８に接触し、更に記録紙１４ｂを記録紙カセット１１内部へ押し込む事によって解除プレートは図６に示す−Ｚ方向へ変位する。そしてこの動作に連動してピン２７は記録紙ケース２０の保持部２０ｂとの保持を解消する位置までサイドフェンス２６の内側へ入り込み、ユーザーは記録紙１４ｂを更に記録紙ケース２０内へ押し込む事により、シャフト２４に係合したサイドフェンス２６もトーションバネ２９の付勢力に抗して図７に示すＲ２方向へ回転し、記録紙１４ｂを図５（ｂ）の位置まで収容する事が出来る。
【００３４】
また、本実施例ではシャフト２４の両端にサイドフェンス２６、ピン２７、そして解除プレート２８が取り付けられており、記録紙ケース２０の内側には両端のピンの軌跡に対応した位置に溝２０ａが形成されている。そのため、図９のように短幅の記録紙１４ａを図中Ａ方向へずらして記録紙ケース２０内部へ収容しようとする場合には、図中Ｂ側のピン２７が保持部２０ｂ内に入り込んでいる為、ユーザーが記録紙１４ａを押し込もうとしても、ピン２７が保持されている為、シャフト２４の回転を規制する事が出来る。
【００３５】
つまり、短幅の記録紙１４ａを記録紙ケース２０へ装着する場合には記録紙ケース２０に取り付けられているサイドフェンス２６は押し下げられる事無く、図３に示す状態を維持して記録紙ケース２０内に記録紙１４ａが装着される。また、長幅の記録紙１４ｂを記録紙ケース２０へ装着する場合には記録紙ケース２０に取り付けられているサイドフェンス２６は両側ともに記録紙１４ｂの一部により押し下げられて、記録紙ケース２０内に退避することになる。そしてこのように構成することで、記録紙１４ａ、１４ｂともに用紙幅方向の中心と記録紙ケースの収容位置の中心とがほぼ一致するように記録紙１４ａ及び１４ｂを収容する事が出来る。
【００３６】
次に図１０及至図１２を用いて、本実施例における蓋２１及びロック蓋２２の機能について説明する。
【００３７】
図１０（ａ）は記録紙カセット１１に長幅の記録紙１４ｂを収容した状態を表す拡大断面図である。図１０（ｂ）は蓋２１を閉めた状態を表す拡大断面図である。
【００３８】
図１０（ａ）によると、蓋２１は記録紙ケース２０に対して回転軸２１ｂを中心として回転移動可能に取り付けられている。そしてこの蓋２１には図示した位置に規制部２１ａが形成されている。また、サイドフェンス２６にはシャフト２４に対して記録紙１４ｂと接触している端と反対側に凸部２６ａが形成されている。この状態からユーザーが蓋２１を閉めようとする場合には、図１０（ｂ）に表わされるように蓋２１が回転軸２１ｂを中心として回転し、規制部２１ａが凸部２６ａに当接する。そして、規制部２１ａと凸部２６ａが当接した位置から更に蓋２１を押し込むと、ユーザーによる蓋２１の押圧力の作用により、サイドフェンス２６はシャフト２４を中心として図中時計回りに回転を行う。すると、それまでトーションバネ２９の付勢力により記録紙１４ｂを図中反時計回りに押圧していた押圧力が低減されて、記録紙１４ｂは蓋２１を閉める前よりも記録紙ボビン１５ｂを中心に容易に回転する事が出来るようになる。
【００３９】
次に図１１（ａ）は記録紙カセット１１に長幅の記録紙１４ｂを収容し、蓋２１を閉めた状態を表す拡大断面図である。図１１（ｂ）は更にロック蓋２２を閉めた状態を表す拡大断面図である。
【００４０】
図１１（ａ）によると、ロック蓋２２は記録紙ケース２０に対して回転軸２２ｂを中心として回転移動可能に取り付けられている。そしてこのロック蓋２２には図示した位置に規制部２２ａが形成されている。また、サイドフェンス２６にはシャフト２４に対して記録紙１４ｂと接触している端と反対側に凸部２６ａが形成されている。この状態からユーザーがロック蓋２２を閉めようとする場合には、図１１（ｂ）に表わされるようにロック蓋２２が回転軸２２ｂを中心として回転し、規制部２２ａが凸部２６ａに当接する。そして、規制部２２ａと凸部２６ａが当接した位置から更にロック蓋２２を押し込むと、ユーザーによるロック蓋２２の押圧力の作用により、サイドフェンス２６はシャフト２４を中心として図中反時計回りに回転を行う。すると、それまでトーションバネ２９の付勢力により記録紙１４ｂを図中時計回りに押圧していた押圧力が低減されて、記録紙１４ｂは蓋２２を閉める前よりも記録紙ボビン１５ｂを中心に容易に回転する事が出来るようになる。
【００４１】
以上の構成により、記録紙カセット１１に長幅の記録紙１４ｂを収容した場合には、一時的に記録紙１４ｂにはサイドフェンス２６からの押圧力がかかることになるが、蓋２１及びロック蓋２２を閉じる事で、その押圧力を低減する事が出来る。これはつまり、記録紙カセット１１をプリンタ本体１内へ収容し、所望の印画を行う際には、記録紙カセット１１から記録紙１４ｂの先端を給紙する場合の記録紙１４ｂと他の部材との摩擦等による給紙負荷を低減する事に寄与する。
【００４２】
また、図１２は記録紙カセット１１内に短幅の記録紙１４ａを装着したまま蓋２１及びロック蓋２２を閉めた状態を表す拡大断面図である。
【００４３】
図１２に表わされるように、記録紙１４ａを収容した場合には前述の通り、サイドフェンス２６は回転しないまま図３の状態を維持している。この状態から蓋２１を閉めると、図１２（ａ）のとおり、蓋２１に形成されている規制部２１ａはサイドフェンス２６の凸部２６ａに接近するが、閉じた位置に達した場合でもサイドフェンス２６の凸部２６ａに接触する事なく閉じることが出来る。また、ロック蓋２２についても図１２（ｂ）のとおり、ロック蓋２２に形成されている規制部２２ａはサイドフェンス２６の凸部２６ａに接近するが、閉じた位置に達した場合でもサイドフェンス２６の凸部２６ａに接触する事なく閉じることが出来る。つまり、記録紙カセット１１内に短幅の記録紙１４ａを装着したまま蓋２１及びロック蓋２２を閉める場合には、長幅の記録紙１４ｂを装着するときと異なり、蓋の開閉によってサイドフェンス２６の位置を規制するという動作は発生せず、図３の位置に停止したまま、短幅の記録紙１４ａ側面を規制する事が出来る。
【００４４】
次に図１３及至図１５を用いて、本実施例における記録紙カセット１１をプリンタ本体１へ装着した場合の記録紙１４の種別検出方法について説明する。
【００４５】
図１３（ａ）及び図１３（ｂ）は、記録紙カセット１１での記録紙１４の種別検出方法を説明する断面図である。記録紙ケース２０の１側面には図１２（ａ）に表わされるように開口２０ｄ、２０ｅ、孔２０ｆ、バネ掛け部２０ｇがそれぞれ形成されている。そして、開口２０ｄ、２０ｅに突出部３２ａ、３２ｂが挿通されるように識別部材３２が配置されている。また、識別部材３２には記録紙ケース２０に形成されたバネ掛け部２０ｇと対向する位置にバネ掛け部３２ｃが形成されている。そしてコイルバネ３３は、この二つの対向するバネ掛け部にその両端が保持されており、図１３（ａ）に表わされるように識別部材３２は、記録紙ケース２０に対してＣ方向に付勢された形で停止している。
【００４６】
このような状態で、仮に記録紙カセット１１に短幅の記録紙１４ａが装着された場合には、サイドフェンス２６は退避する事無く、図１３（ａ）の位置のまま維持されるため、識別部材３２は、図中Ｃ方向に付勢されたまま停止している。このとき開口２０ｄ及び２０ｅは図中右側を開口するように設定されている。次に、記録紙カセット１１に長幅の記録紙１４ｂが装着される場合には、まずサイドフェンス２６は解除プレート２８等の作用で溝２０ａに形成された退避部２０ｃ側へ回転する。すると、サイドフェンス２６の一端が識別部材３２の一端と当接する。そして更にサイドフェンスが回転すると、識別部材３２はコイルバネ３３の付勢力に抗してスライド移動し、図１３（ｂ）に表わされるように、識別部材３２はＤ方向へ寄せられる。このとき開口２０ｄ及び２０ｅはその開口部が図中右側から左側へとスライドすることになる。
【００４７】
図１４は記録紙カセット１１がプリンタ本体１に装着されるときの一部を表す図である。
【００４８】
図１４によると、プリンタ本体１には記録紙カセット１１にどのような種類の記録紙が装着されているのかを検出する検出スイッチ３４が設置されている。本実施例における検出スイッチは３ビットのプッシュスイッチが等間隔に３つ連なるように構成されており、１つ目のビット３４ａは開口２０ｅ、３つ目のビット３４ｂは孔２０ｆ、２つ目のビットは開口２０ｅと孔２０ｆとの間の壁にそれぞれ対向するように設定されている。例えば、記録紙カセット１１に短幅の記録紙１４ａが装着されている場合には、識別部材３２は図１４中のＣ方向に付勢されている為、記録紙カセット１１をプリンタ本体１内へ装着すると、ビット３４ａについては、開口２０ｅを通過し、ビット３４ａは記録紙ケース２０に接触する事はない。ビット３４ｂについては、開口２０ｅと孔２０ｆの間の壁に衝突し、ビット３４ｂは検出スイッチ３４内側に変位する。ビット３４ｃについては、孔２０ｆを通過し、ビット３４ａ同様に記録紙ケース２０に接触しない。次に記録紙カセット１１に長幅の記録紙１４ｂが装着されている場合には、識別部材３２は図１４中のＤ方向に付勢されている為、記録紙カセット１１をプリンタ本体１内へ装着すると、ビット３４ｂ、３４ｃについて変化はないがビット３４ａに対向する開口２０ｅが閉じてしまう為、ビット３４ａは識別部材３２に衝突し、検出スイッチ３４内側に変位する。
【００４９】
これらをまとめたものが図１５である。つまり、識別部材３２のスライド移動により、検出スイッチのビットがＯＮ／ＯＦＦするパターンが図１４のように変化する為、記録紙カセット１１をプリンタ本体１に装着したときに記録紙カセット１１内部にどのような記録紙１４が装着されているのか、検出する事が出来る。
【００５０】
以上、本発明の好ましい実施形態について説明したが、本発明はこれらの実施形態に限定されず、その要旨の範囲内で種々の変形及び変更が可能である。
【符号の説明】
【００５１】
１・・・プリンタ本体 
１１・・・記録紙カセット  
１４・・・記録紙 
２０・・・記録紙ケース 
２０ｂ・・・保持部
２１・・・蓋 
２２・・・ロック蓋  
２６・・・サイドフェンス 
２６ａ・・・凸部 
２７・・・ピン 
２８・・・解除プレート 
３２・・・識別部材
３４・・・検出スイッチ 
【図１】
2013184784.tif 000003
【図２】
2013184784.tif 000004
【図３】
2013184784.tif 000005
【図４】
2013184784.tif 000006
【図５】
2013184784.tif 000007
【図６】
2013184784.tif 000008
【図７】
2013184784.tif 000009
【図８】
2013184784.tif 000010
【図９】
2013184784.tif 000011
【図１０】
2013184784.tif 000012
【図１１】
2013184784.tif 000013
【図１２】
2013184784.tif 000014
【図１３】
2013184784.tif 000015
【図１４】
2013184784.tif 000016
【図１５】
2013184784.tif 000017
【図１６】
2013184784.tif 000018